(57)【要約】      （修正有）【課題】振動モジュールにより液体を塗布すると同時に、振動按摩の効果を有する振動按摩機能付き容器を提供する。【解決手段】内部に第１収容室１１が設けられ、前記第１収容室の上端に出口端１２が設けられ、前記出口端の外縁に第１螺旋部１３が設けられるチューブ１０と、前記チューブの上に配され、その下縁に第２収容室２１が設けられ、前記第２収容室の端部にある開口に第２螺旋部２２を設ける。前記第２螺旋部は前記第１螺旋部と螺合可能であり、前記第２収容室の他端に受け座が設けられ、前記受け座の両側には、前記第２収容室と連通する連通管２５がそれぞれ設けられる連通蓋と、前記受け座の内部に配される振動モジュール３０と、前記連通蓋の上に配される液体排出部材と、を含む。【選択図】図３
0003165469.tif 000002
【実用新案登録請求の範囲】
【請求項１】
内部に第１収容室が設けられ、前記第１収容室の上端に出口端が設けられ、前記出口端の外縁に第１螺旋部が設けられるチューブと、
前記チューブの上に配され、その下縁に第２収容室が設けられ、前記第２収容室の端部にある開口に第２螺旋部が設けられ、前記第２螺旋部は前記第１螺旋部と螺合可能であり、前記第２収容室の他端に受け座が設けられ、前記受け座の両側には、前記第２収容室と連通する連通管がそれぞれ設けられる連通蓋と、
前記受け座の内部に配される振動モジュールと、
前記連通蓋の上に配される液体排出部材と、
を含む振動按摩機能付き容器において、
前記液体排出部材は、
前記連通蓋を被り、その上に第３収容室が設けられ、前記第３収容室の外縁に第３螺旋部が設けられ、前記第３収容室の内部に規制ピンが設けられ、前記連通管に応じて第１貫通孔が設けられる仕切片と、
前記仕切片の上に配されて前記仕切片を被り、その内縁に第４螺旋部が設けられ、前記第４螺旋部が前記第３螺旋部と螺合可能である規制用環状蓋と、
前記規制用環状蓋の内上縁に配され、複数の突起と、液体排出穴と、を含む液体排出ヘッドと、
前記仕切片の上に配され、第１液体排出通路と、規制穴と、を有する液体排出片と、
前記液体排出部材を被り、前記液体排出穴に応じて塞ぎピンが設けられる外蓋と、
を含むことを特徴とする振動按摩機能付き容器。
【請求項２】
前記連通蓋に複数の連通管が設けられ、前記液体排出ヘッドと前記液体排出片との間に仕切スリーブが配され、前記仕切スリーブに第２液体排出通路が設けられ、前記連通蓋の前記受け座の両側に規制溝がそれぞれ設けられ、前記仕切片の下には、前記規制溝に応じて規制リブが設けられることを特徴とする、請求項１に記載の振動按摩機能付き容器。
【請求項３】
前記振動モジュールは、収容ボックスと、蓋と、を含み、前記収容ボックスと前記蓋とから封止空間が構成され、前記収容ボックスの前側には、ボタンを収容する貫通孔が設けられ、前記ボタンの他端が電極座と接触し、前記電極座の一端には、第１電極片と、第２電極片と、が設けられ、前記電極座の他端に振動モータが配され、前記振動モータの後側には、電力を供給する電池と、バネと、が配され、前記第１電極片が前記振動モータと接触し、前記第２電極片が前記電池と接触し、前記ボタンを切替えることにより、前記振動モータのオン・オフ状態が切替えられることを特徴とする、請求項１に記載の振動按摩機能付き容器。
【考案の詳細な説明】
【技術分野】
【０００１】
本考案は、振動按摩機能付き容器に関し、特に、チューブの上にある連通蓋に振動モジュールを有する受け座が配され、振動モジュールにより液体を塗布すると同時に、振動按摩の効果を有する振動按摩機能付き容器に関するものである。
【背景技術】
【０００２】
従来、按摩効果を有する容器の構成は、液体を収容するチューブの上端に蓋が配されており、前記蓋は、貫通孔と、玉と、を有する。ユーザの皮膚に前記チューブ内の液体を塗布したいときには、前記チューブ内の液体が前記貫通孔を経由して外部に流出すると同時に、玉によりユーザの皮膚が按摩される。
【０００３】
しかしながら、このような容器によれば、バッグに入れられて不意に押さえられると、容器内の液体が玉を経由して外部に流出する。これは、玉による液体排出構成は漏れ止め効果がないことにある。そして、このような容器は振動按摩の効果もない。
【考案の概要】
【考案が解決しようとする課題】
【０００４】
本考案の主な目的は、チューブの上にある連通蓋に振動モジュールを有する受け座が配され、振動モジュールにより液体を塗布すると同時に、振動按摩の効果を有する振動按摩機能付き容器を提供することにある。
【課題を解決するための手段】
【０００５】
本考案の振動按摩機能付き容器によると、内部に第１収容室が設けられ、前記第１収容室の上端に出口端が設けられ、前記出口端の外縁に第１螺旋部が設けられるチューブと、
前記チューブの上に配され、その下縁に第２収容室が設けられ、前記第２収容室の端部にある開口に第２螺旋部が設けられ、前記第２螺旋部は前記第１螺旋部と螺合可能であり、前記第２収容室の他端に受け座が設けられ、前記受け座の両側には、前記第２収容室と連通する連通管がそれぞれ設けられる連通蓋と、
前記受け座の内部に配される振動モジュールと、
前記連通蓋の上に配される液体排出部材と、
を含む振動按摩機能付き容器において、
前記液体排出部材は、
前記連通蓋を被り、その上に第３収容室が設けられ、前記第３収容室の外縁に第３螺旋部が設けられ、前記第３収容室の内部に規制ピンが設けられ、前記連通管に応じて第１貫通孔が設けられる仕切片と、
前記仕切片の上に配されて前記仕切片を被り、その内縁に第４螺旋部が設けられ、前記第４螺旋部が前記第３螺旋部と螺合可能である規制用環状蓋と、
前記規制用環状蓋の内上縁に配され、複数の突起と、液体排出穴と、を含む液体排出ヘッドと、
前記仕切片の上に配され、第１液体排出通路と、規制穴と、を有する液体排出片と、
前記液体排出部材を被り、前記液体排出穴に応じて塞ぎピンが設けられる外蓋と、
を含むことを特徴とする。
【０００６】
本考案の振動按摩機能付き容器によると、前記連通蓋に複数の連通管が設けられ、前記液体排出ヘッドと前記液体排出片との間に仕切スリーブが配され、前記仕切スリーブに第２液体排出通路が設けられ、前記連通蓋の前記受け座の両側に規制溝がそれぞれ設けられ、前記仕切片の下には、前記規制溝に応じて規制リブが設けられることを特徴とする。
【０００７】
本考案の振動按摩機能付き容器によると、前記振動モジュールは、収容ボックスと、蓋と、を含み、前記収容ボックスと前記蓋とから封止空間が構成され、前記収容ボックスの前側には、ボタンを収容する貫通孔が設けられ、前記ボタンの他端が電極座と接触し、前記電極座の一端には、第１電極片と、第２電極片と、が設けられ、前記電極座の他端に振動モータが配され、前記振動モータの後側には、電力を供給する電池と、バネと、が配され、前記第１電極片が前記振動モータと接触し、前記第２電極片が前記電池と接触し、前記ボタンを切替えることにより、前記振動モータのオン・オフ状態が切替えられることを特徴とする。
【考案の効果】
【０００８】
本考案の振動按摩機能付き容器によれば、次のような効果がある。
（１）振動モジュールにより液体を塗布すると同時に、振動按摩の効果があるため、ユーザを快適にすることができる。
【０００９】
（２）本考案の液体排出部材により、容器内の液体が容易に漏れ出せず、そして塞ぎピンが液体排出穴を塞ぐため、容器が押し出されても、容器内の液体が漏れ出さない。
【００１０】
（３）本考案の液体排出部材により、容器内から外部へ流出する液体の流量が適量に制御される。
【図面の簡単な説明】
【００１１】
【図１】本考案の一実施例の組合済み状態の斜視図である。
【図２】本考案の一実施例の分解斜視図である。
【図３】本考案の一実施例の一部の断面図である。
【図４】本考案の一実施例の一部の断面図である。
【考案を実施するための形態】
【００１２】
以下、本考案の実施の形態を図面に基づいて説明する。
まず、図１乃至図４を参照する。本考案の振動按摩機能付き容器は、チューブ１０と、連通蓋２０と、振動モジュール３０と、液体排出部材４０と、外蓋５０と、を含む。
【００１３】
チューブ１０は、内部に第１収容室１１が設けられ、第１収容室１１が液体を収容可能であり、第１収容室１１の上端に出口端１２が設けられ、出口端１２の外縁に第１螺旋部１３が設けられる。
【００１４】
連通蓋２０は、チューブ１０の上に配され、その下縁に第２収容室２１が設けられ、第２収容室２１の端部にある開口の内縁に第２螺旋部２２が設けられる。第２螺旋部２２は第１螺旋部１３と螺合可能である。第２収容室２１の他端に受け座２３が設けられる。受け座２３の両側には、規制溝２４がそれぞれ設けられる。各規制溝２４内には、第２収容室２１と連通する連通管２５が設けられる。
【００１５】
振動モジュール３０は、受け座２３の内部に配され、収容ボックス３１と、蓋３１１と、を含む。収容ボックス３１と蓋３１１から封止空間が構成される。収容ボックス３１の前側には、ボタン３２を収容する貫通孔３１２が設けられる。ボタン３２の他端が電極座３３と接触する。電極座３３の一端には、第１電極片３３１と、第２電極片３３２と、が設けられる。電極座３３の他端に振動モータ３４が配される。振動モータ３４の後側には、電力を供給する電池３５と、バネ３６と、が配される。第１電極片３３１が振動モータ３４と接触し、第２電極片３３２が電池３５と接触する。ボタン３２を切替えることにより、振動モータ３４のオン・オフ状態を切替えることができる。
【００１６】
連通蓋２０の上に配される液体排出部材４０は、仕切片４１と、規制用環状蓋４２と、液体排出ヘッド４３と、液体排出片４４と、間隔スリーブ４５と、を含む。仕切片４１は、連通蓋２０を被り、その上に第３収容室４１１が設けられ、第３収容室４１１の外縁に第３螺旋部４１２が設けられ、第３収容室４１１の内部に規制ピン４１３が設けられる。仕切片４１の下には、各規制溝２４に応じて規制リブ４１４が設けられ、規制溝２４が規制リブ４１４と係合する。仕切片４１には、連通管２５に応じて第１貫通孔４１５が設けられる。規制用環状蓋４２は、仕切片４１の上に配されて仕切片４１を被り、その内縁に第４螺旋部４２１が設けられ、第４螺旋部４２１が第３螺旋部４１２と螺合可能である。液体排出ヘッド４３は、規制用環状蓋４２の内上縁に配され、複数の突起４３１と、液体排出穴４３２と、を含む。液体排出片４４は、仕切片４１の上に配され、第１液体排出通路４４１と、規制穴４４２と、を有する。規制穴４４２は規制ピン４１３に嵌め設けられ、これにより、第１液体排出通路４４１が第１貫通孔４１５と連通する。間隔スリーブ４５は液体排出ヘッド４３と液体排出片４４との間に配される。間隔スリーブ４５に第２液体排出通路４５１が設けられる。
【００１７】
外蓋５０は、液体排出部材４０を被り、液体排出穴４３２に応じて塞ぎピン５１が設けられる。塞ぎピン５１により液体排出穴４３２を塞ぐことができる。
【００１８】
次に、本考案の使用方法を説明する。まず、ボタン３２を押圧して振動モジュール３０を起動し、振動モータ３４により振動が発生し、このとき、チューブ１０を少し押さえると、液体（図示せず）は、連通管２５と第１貫通孔４１５とを経由して第３収容室４１１に流入して、第１液体排出通路４４１と第２液体排出通路４５１とを経由して液体排出穴４３２に流入し、そうすると、ユーザの皮膚に液体を適量に塗布することができる。
【００１９】
液体を塗布しているときには、液体排出ヘッド４３に複数の突起４３１が設けられるため、突起４３１によりユーザの皮膚を按摩することができ、そして振動モータ３４による振動により、按摩効果が更に向上する。
【００２０】
本考案の振動按摩機能付き容器を利用しないときには、液体排出部材４０に外蓋５０を被る。液体排出部材４０に外蓋５０を被っているときには、塞ぎピン５１が液体排出穴４３２を塞ぐため、本考案の振動按摩機能付き容器が不意に押さえられても、容器内の液体が外部に流出しない。
【産業上の利用可能性】
【００２１】
本考案は、按摩装置に適用することができる。
【符号の説明】
【００２２】
１０：チューブ
１１：第１収容室
１２：出口端
１３：第１螺旋部
２０：連通蓋
２１：第２収容室
２２：第２螺旋部
２３：受け座
２４：規制溝
２５：連通管
３０：振動モジュール
３１：収容ボックス
３２：ボタン
３３：電極座
３４：振動モータ
３５：電池
３６：バネ
４０：液体排出部材
４１：仕切片
４２：規制用環状蓋
４３：液体排出ヘッド
４４：液体排出片
４５：間隔スリーブ
５０：外蓋
５１：塞ぎピン
３１１：蓋
３１２：貫通孔
３３１：第１電極片
３３２：第２電極片
４１１：第３収容室
４１２：第３螺旋部
４１３：規制ピン
４１４：規制リブ
４１５：第１貫通孔
４２１：第４螺旋部
４３１：突起
４３２：液体排出穴
４４１：第１液体排出通路
４４２：規制穴
４５１：第２液体排出通路
【図１】
0003165469.tif 000003
【図２】
0003165469.tif 000004
【図３】
0003165469.tif 000005
【図４】
0003165469.tif 000006